(57)【要約】【課題】ユーザの操作傾向に依存して発生しやすい異常状態の発生頻度を減少させ、装置の操作性を向上させることが可能な注意喚起装置、デジタルカメラ、及び注意喚起方法を提供すること。【解決手段】電源起動時や動作モード変更時等の、デジタルカメラに対してユーザによる新たな操作が行われた際に、これまでに記憶されている、各エラー／アラート項目のカウント値を読み込んで（ステップ２００）、読み込まれたカウント値が所定値（そのエラー状態／アラート状態の発生を回避するためのメッセージ情報を報知する場合のしきい値として、各エラー／アラート項目毎に予め定めた値）以上であるか否かを判断する（ステップ２０２）。ここで、エラー／アラート項目のカウント値が所定値以上である場合には、当該エラー／アラート項目に対応するメッセージ情報をＬＣＤやＬＥＤにより報知する（ステップ２０４）。【選択図】　　　　図４
2004128731.tif 000002
【特許請求の範囲】
【請求項１】
ユーザの操作によって作動する装置におけるユーザの操作に起因して発生する異常状態を検出する検出手段と、
前記検出手段により前記異常状態が検出された場合に、前記装置に対するユーザの新たな操作の際に、前記異常状態の発生を回避するようにユーザに対して注意喚起する注意喚起手段と、
を有する注意喚起装置。
【請求項２】
前記装置の異常状態の発生回数をカウントする計数手段を更に備え、
前記注意喚起手段は、前記計数手段によりカウントされた装置の異常状態の発生回数が所定値以上となり、かつ前記装置に対するユーザの新たな操作の際に、前記異常状態の発生を回避するようにユーザに対して注意喚起することを特徴とする請求項１記載の注意喚起装置。
【請求項３】
前記注意喚起手段は、
情報を表示する表示手段と、
前記装置に対するユーザの新たな操作の際に、前記異常状態の発生を回避するようにユーザに対して注意喚起するための注意喚起情報を表示するように、前記表示手段を制御する制御手段と、
を有することを特徴とする請求項１又は２に記載の注意喚起装置。
【請求項４】
請求項１〜３の何れか１項に記載の注意喚起装置を備えたデジタルカメラ。
【請求項５】
ユーザの操作によって作動する装置におけるユーザの操作に起因して発生する異常状態を検出し、
前記異常状態が検出された場合に、前記装置に対するユーザの新たな操作の際に、前記異常状態の発生を回避するようにユーザ対して注意喚起する、
ことを特徴とする注意喚起方法。
【発明の詳細な説明】
【０００１】
【発明の属する技術分野】
本発明は、ユーザの操作によって作動する装置におけるユーザの操作に起因して発生する異常状態が繰り返し発生する頻度を減少させる注意喚起装置、デジタルカメラ、及び注意喚起方法に関する。
【０００２】
【従来の技術】
従来のデジタルカメラでは、その動作状態に関する様々な情報、例えば、各種動作モードの設定内容、各種セットアップ項目の設定内容、ユーザの操作に起因して発生した異常動作状態を示すエラー情報、異常動作状態を回避するための警告をユーザに示すアラート情報等を、ＬＣＤやＬＥＤ等によってユーザに報知する機能が設けられており、これらの情報によって、ユーザはカメラの動作状態を容易に把握することができる。
【０００３】
また、特許文献１には、カメラの異常動作状態の履歴を記憶する技術が提案されており、この履歴に基づいて異常動作状態の発生の経緯を把握し、その異常動作状態が単独又は複合した要因によるものであるかを認識することを可能としている。
【０００４】
【特許文献１】
特開平１１−１４９１１３号公報
【０００５】
【発明が解決しようとする課題】
しかしながら、上記のような従来のデジタルカメラでは、一般に、その動作状態に関するエラー情報やアラート情報の報知は、ユーザに対する一方的な通知でしかなく、例えば、エラー情報はエラーが発生したタイミングで出力されるため、ユーザの操作傾向に依存して同様なエラーが繰り返し発生した場合には、ユーザはその都度エラー情報を認知して、そのエラーからの復帰操作を繰り返し行うこととなり、操作に手間がかかることがある。このことから、発生頻度の高いエラーの発生を回避するようにユーザに対して注意喚起することが好ましく、操作性の向上に寄与することになる。このことから、カメラで発生した異常動作状態の履歴（エラー履歴）を記憶する上記特許文献１に記載の技術は、発生頻度の高いエラーを把握する点で有効な技術であると思われるが、この技術では、エラー履歴は装置のメンテナンス等に用いることが主な目的とされており、ユーザに対して直接的に還元するものではなく、ユーザの操作時における操作性の向上に寄与するものではなかった。
【０００６】
本発明は上記事実に鑑み成されたものであり、ユーザの操作傾向に依存して発生しやすい異常状態の発生頻度を減少させ、装置の操作性を向上させることが可能な注意喚起装置、デジタルカメラ、及び注意喚起方法を提供することを目的とする。
【０００７】
【課題を解決するための手段】
上記目的を達成するために、請求項１に記載の発明は、ユーザの操作によって作動する装置におけるユーザの操作に起因して発生する異常状態を検出する検出手段と、前記検出手段により前記異常状態が検出された場合に、前記装置に対するユーザの新たな操作の際に、前記異常状態の発生を回避するようにユーザに対して注意喚起する注意喚起手段と、を有している。
【０００８】
請求項１に記載の発明によれば、検出手段は、ユーザの操作によって作動する装置におけるユーザの操作に起因して発生する異常状態を検出する。また、注意喚起手段は、検出手段により異常状態が検出された場合に、装置に対するユーザの新たな操作の際に、異常状態の発生を回避するようにユーザに対して注意喚起する。これにより、ユーザは新たな操作の際に注意喚起に基づく操作を行うことによって、ユーザの操作傾向に依存して同様な異常状態が繰り返し発生する頻度を減少させることができ、ユーザの操作負担を軽減することができる。
【０００９】
請求項２に記載の発明は、請求項１に記載の発明において、前記装置の異常状態の発生回数をカウントする計数手段を更に備え、前記注意喚起手段は、前記計数手段によりカウントされた装置の異常状態の発生回数が所定値以上となり、かつ前記装置に対するユーザの新たな操作の際に、前記異常状態の発生を回避するようにユーザに対して注意喚起することを特徴としている。
【００１０】
請求項２に記載の発明によれば、計数手段は、装置の異常状態の発生回数をカウントする。また、注意喚起手段は、計数手段によりカウントされた装置の異常状態の発生回数が所定値以上となった場合にのみ、装置に対するユーザの新たな操作の際に、異常状態の発生を回避するようにユーザに対して注意喚起する。従って、発生する各異常状態毎に前記所定値を予め所望に定めることで、各異常状態に対応する注意喚起を所望の頻度で行うことができる。
【００１１】
請求項３に記載の発明は、請求項１又は２に記載の発明において、前記注意喚起手段は、情報を表示する表示手段と、前記装置に対するユーザの新たな操作の際に、前記異常状態の発生を回避するようにユーザに対して注意喚起するための注意喚起情報を表示するように、前記表示手段を制御する制御手段と、を有することを特徴としている。
【００１２】
請求項３に記載の発明によれば、注意喚起手段は、情報を表示する表示手段にて、装置に対するユーザの新たな操作の際に、異常状態の発生を回避するようにユーザに対して注意喚起するための注意喚起情報を表示する。これにより、ユーザに対して視覚的に確度よく注意喚起を行うことができる。
【００１３】
請求項１〜３の何れか１項に記載の注意喚起装置は、請求項４に記載の発明のように、デジタルカメラに適用してもよい。
【００１４】
請求項５に記載の発明は、ユーザの操作によって作動する装置におけるユーザの操作に起因して発生する異常状態を検出し、前記異常状態が検出された場合に、前記装置に対するユーザの新たな操作の際に、前記異常状態の発生を回避するようにユーザ対して注意喚起する、ことを特徴としている。
【００１５】
請求項５に記載の発明によれば、ユーザの操作によって作動する装置におけるユーザの操作に起因して発生する異常状態を検出し、異常状態が検出された場合に、装置に対するユーザの新たな操作の際に、異常状態の発生を回避するようにユーザに対して注意喚起する。従って、ユーザは新たな操作の際に注意喚起に基づく操作を行うことによって、ユーザの操作傾向に依存して同様な異常状態が繰り返し発生する頻度を減少させることができ、ユーザの操作負担を軽減することができる。
【００１６】
【発明の実施の形態】
以下、図面を参照して、本発明の実施の形態を詳細に説明する。
【００１７】
図１（Ａ）及び図１（Ｂ）に示すように、本実施の形態に係るデジタルカメラ１０は、本体１２が略箱型形状であり、正面から見て左側には、本体１２の把持を容易とするための把持部が形成されている。
【００１８】
本体１２の正面側には、図１（Ａ）に示すように、被写体像を結像させるためのレンズ１４、撮影範囲等を目視で確認するためのファインダ１６、低照度での撮影等の場合に補助光を発するためのフラッシュ１８が取付けられている。
【００１９】
本体１２の上面には、正面から見て左側に、このデジタルカメラ１０の動作モード（例えば、各種撮影モード、撮影画像再生モード、パソコン出力モード、及び各種セットアップ項目設定モード等）の１つを選択する際に用いるモードダイヤル２０、及び電源スイッチ２２が設けられ、モードダイヤル２０の中央部がシャッタボタン２４となっている。なお、シャッタボタン２４は、半押しでＡＦロック、全押しで撮像処理が実行されるように構成されている。
【００２０】
本体１２の正面から見て右側の側面には、撮影画像データを記憶するためのメディアカード８２（図２参照）を装填可能なスロット２６が設けられており、このスロット２６内部には、後述するメディア制御部６８（図２参照）が備えるコネクタ部（図示せず）が配設されている。スロット２６に装填されたメディアカード８２は、このコネクタ部を介して上記メディア制御部６８と物理的に接続されることで、上記メディア制御部６８とメディアカード８２との間で各種データの授受が可能とされている。
【００２１】
また、図１（Ｂ）に示すように、本体１２の背面の下方側には、反射型ＬＣＤ又は透過型ＬＣＤから成るカラー表示可能なディスプレイ２８が取付けられており、ディスプレイ２８の上方側には、ストロボボタン３０、十字ボタン３２、及びメニュー実行ボタン３４等の各種選択ボタンが設けられている。
【００２２】
ディスプレイ２８は、表示画面サイズが所定ピクセル数（例えば、６４０×４８０ピクセル）に設定された液晶表示パネルで構成されており、画像表示指示がある場合に、撮影時における撮影対象の画像や後述するＳＤＲＡＭ（Ｓｙｎｃｈｒｏｎｏｕｓ　Ｄｙｎａｍｉｃ　ＲＡＭ）８６（図２参照）及びメディアカード８２から読み込んだ画像ファイルに基づく画像を、画面全体に表示したり、複数の縮小画像を並べて表示（以下、サムネイル表示と称す。）したり、各種機能選択画面を表示する。
【００２３】
十字ボタン３２は、ディスプレイ２８の表示内容が各種項目選択画面のときにディスプレイ２８に表示されたボタンを選択したり、カーソルを動かすためのボタンである。また、ストロボボタン３０はフラッシュ１８を強制発光するときに強制発光指示を出したり、フラッシュ１８を発光禁止するときに発光禁止指示を出すボタンであり、メニュー実行ボタン３４は、ディスプレイ２８に表示されて十字ボタン３２で選択された項目の実行を決定するためのボタンである。
【００２４】
また、本体１２には複数のＬＥＤ３６が設けられており、その点灯状態によって各々予め対応づけされた各種動作状態（例えば、正常動作状態、エラー動作状態、エラー動作状態を回避するための警告を発するアラート動作状態等）をユーザに報知するようになっている。
【００２５】
図２には、上述したデジタルカメラ１０の制御系の概略構成が示されている。このデジタルカメラ１０は、上記レンズ１４を含んで構成された光学ユニット４０と、上記レンズ１４の光軸後方に配設されたＣＣＤ４２と、当該ＣＣＤ４２から出力される画像信号（ＣＣＤ４２の受光面上にマトリクス状に配列された複数個の光電変換セルの各々における受光量を表わす信号）に基づき被写体像を示す所定のデジタル画像データを生成する画像信号処理部４４と、光学ユニット４０の各部、ＣＣＤ４２、及び画像信号処理部４４等を駆動するためのタイミング信号を生成するタイミングジェネレータ４６と、ＣＣＤ４２を駆動する垂直・水平ドライバ４８と、光学ユニット４０に含まれる、シャッタ及び絞り機構を駆動するシャッタ・アイリスモータ、焦点調整（フォーカス）モータ及びズームモータ等を駆動するユニット各部駆動系ドライバ５０と、フラッシュ１８の発光を制御するストロボ制御部５２と、デジタルカメラ１０の各部への電力供給を制御する電源制御部５４と、デジタルカメラ１０の全体的な動作制御を司る主制御部６０と、を含んで構成されている。
【００２６】
上記タイミングジェネレータ４６には、垂直・水平ドライバ４８、画像信号処理部４４、及びユニット各部駆動系ドライバ５０が接続されており、このタイミングジェネレータ４６は、ＣＣＤ４２を駆動させるためのタイミング信号を垂直・水平ドライバ４８に、光学ユニット４０に備えられたメカシャッターや絞り機構を駆動させるためのタイミング信号をユニット各部駆動系ドライバ５０に、各々出力する。
【００２７】
また、光学ユニット４０に含まれるレンズ１４は複数枚のレンズを有し、焦点距離の変更（変倍）が可能なズームレンズとして構成されており、図示しないレンズ駆動機構を備えている。上記ズームモータ及び焦点調整モータは、このレンズ駆動機構に含まれるものであり、ズームモータ及び焦点調整モータは各々上記主制御部６０の制御下でユニット各部駆動系ドライバ５０から供給された駆動信号によって駆動される。また、主制御部６０は、光学ズーム倍率を変更する際にはズームモータを駆動制御して光学ユニット４０に含まれるレンズ１４の焦点距離を変化させると共に、ＣＣＤ４２による撮像で得られた画像のコントラストが最大となるように上記焦点調整モータを駆動制御することによって合焦制御を行なうようになっている。
【００２８】
画像信号処理部４４は、図示しない相関２重サンプリング（Ｃｏｒｒｅｌａｔｅｄ　Ｄｏｕｂｌｅ　Ｓａｍｐｌｉｎｇ）回路（ＣＤＳ）、ゲインコントロールアンプ（ＧＣＡ）、及びＡ／Ｄコンバータを含んで構成されており、ＣＣＤ６２から入力された上記画像信号は、上記ＣＤＳによって相関２重サンプリング処理が施され、ＧＣＡによってＲＧＢ各色毎の感度調整がなされた後、Ａ／Ｄコンバータで上記デジタル画像データに変換されるようになっている。
【００２９】
主制御部６０は、主制御部６０全体の動作制御を司るＣＰＵ（中央演算処理装置）６２と、所定容量のラインバッファを内蔵すると共に、ホワイトバランスの変動を調整するホワイトバランス調整回路（ＷＢ）及びＲＧＢデータをＹＣ信号（輝度信号Ｙ、クロマ信号Ｃｒ、Ｃｂ）に変換するＹ／Ｃ変換回路（Ｙ／Ｃ）を含んで構成された撮像制御部６４と、所定の圧縮形式（例えば、ＪＰＥＧ形式等）でデジタル画像データに対して圧縮処理を施すと共に、圧縮処理されたデジタル画像データに対して伸張処理を施す圧縮／伸張部６６と、上記メディアカード８２に対する各種情報の書込みや当該メディアカード８２に書込まれている各種情報の読出しを制御する上記メディア制御部６８と、上記ディスプレイ２８の表示駆動制御をするＬＣＤ制御部７０と、主としてＣＣＤ４２による撮像で得られたデジタル画像データを記憶する上記ＳＤＲＡＭ８６、各種パラメータやプログラム等を記憶したフラッシュＲＯＭ８４、及び、詳細は後述するが、エラー状態やアラート状態の発生回数のカウント値を記憶する不揮発性メモリ８８の各メモリに対する各種データの読込／書込制御をするメモリ制御部７２と、上記ＬＥＤ３６の点灯制御をするＬＥＤ制御部７４とが、バス７６を介して相互に接続されて構成されている。
【００３０】
なお、上記モードダイヤル２０、電源スイッチ２２、シャッタボタン２４、ストロボボタン３０、十字ボタン３２、及びメニュー実行ボタン３４等を含む各種操作ボタン系８０は、ＣＰＵ６２に接続されており、それぞれの制御信号をＣＰＵ６２へ伝達可能に構成されている。また、上記ストロボ制御部５２及び電源制御部５４は、ＣＰＵ６２に接続されており、ＣＰＵ６２との間で各種制御信号を授受可能に構成されている。
【００３１】
撮像制御部６４では、上述の画像信号処理部４４から順次入力されるデジタル画像データを、内蔵するラインバッファに蓄積して一旦ＳＤＲＡＭ８６に格納するようになっている。ＳＤＲＡＭ８６に格納されたデジタル画像データは、ＣＰＵ６２の制御下でＷＢに読み出されてホワイトバランス調整がなされると共に、ガンマ処理及びシャープネス処理等がなされ、更に、Ｙ／ＣにてＹＣ信号変換処理が施されてＹＣ信号データに変換され、再びＳＤＲＡＭ８６に格納される。
【００３２】
また、上記シャッターボタン２４が撮影者によって押圧操作された場合には、ＳＤＲＡＭ８６に格納された上記ＹＣ信号データを、圧縮／伸張部６６によって例えば、ＪＰＥＧ圧縮形式で圧縮した後にメディア制御部６８を介してメディアカード８２に記録する。
【００３３】
なお、画像信号処理部４４、タイミングジェネレータ４６、及び主制御部６０は１チップＬＳＩ（Ｌａｒｇｅ　Ｓｃａｌｅ　Ｉｎｔｅｇｒａｔｅｄ　ｃｉｒｃｕｉｔ）として構成されており、これによってデジタルカメラ１０の小型化、高信頼性化、及び低コスト化が図られている。
【００３４】
次に、本実施の形態の作用について説明する。
【００３５】
本実施の形態に係るデジタルカメラ１０では、ユーザによって電源スイッチ２２がオン操作され、電源制御部５４からデジタルカメラ１０の各部に電源供給がなされて、撮影動作可能なスタンバイ状態となる。このスタンバイ状態において、ユーザによりシャッタボタン２４が操作されて動作がなされると、ＣＰＵ６２の制御下で、タイミングジェネレータ４６に制御信号を出力して、タイミングジェネレータ４６に接続されたユニット各部駆動系ドライバ５０によってシャッタ及びアイリスを制御すると共に、ストロボ制御部５２に制御信号を出力して、必要な場合にはフラッシュ１８の発光動作を行い、画像信号処理部４４によってＣＣＤ４２から画像データが読込まれる。
【００３６】
本実施の形態に係るデジタルカメラ１０の動作中に、ＣＰＵ６２では常に、各部の動作状態を監視しており、図３に示す処理ルーチンを所定の時間間隔で繰り返し実行している。
【００３７】
まず、ステップ１００では、ユーザの操作に起因して発生する予め定めた複数種類の異常状態である、エラー状態やユーザに対して警告情報を報知する必要がある状態（アラート状態）が発生したか否かを判断する。
【００３８】
正常に動作している状態では上記ステップ１００で否定判断され、本処理ルーチンを終了する。一方、上記のエラー状態またはアラート状態が発生した場合には、上記ステップ１００で肯定判断され、ステップ１０２へ進み、エラー／アラート履歴データとして、発生したエラー状態又はアラート状態を示す項目とその発生回数のカウント値をカウントアップし、次のステップ１０４でそのカウント値を不揮発性メモリ８８に記憶する。ここでのエラー／アラート履歴データの記憶方法としては、例えば、メディアカード８２の未装着エラーをＥ１、メディアカード８２の残り記憶容量ゼロをＥ２、ＡＦ動作についての警告をＷ１、ＡＥ動作についての警告をＷ２というように、各エラー状態や警告状態に項目番号を対応つけ、各項目番号ごとにカウンタ値を対応させている。これにより、ユーザの操作における癖に対応した事象を履歴として記憶することになる。
【００３９】
なお、上記したＡＦ動作についての警告とは、操作ボタン系８０に含まれるシャッターボタン２４を半押しした状態で、光学ユニット４０を介してＣＣＤ４２に入力された光信号が電気信号に変換された画像データを、画像信号処理部４４で信号処理したのち、撮像制御部６４にて得られたデータを合焦演算（所謂、ＣＣＤＡＦ演算）し、光学ユニット４０に含まれるフォーカスレンズをユニット各部駆動系ドライバ５０によって微小に駆動しても合焦状態が得られない場合に出力される警告である。また、ＡＥ動作についての警告とは、シャッターボタン２４を半押しした状態で、光学ユニット４０を介してＣＣＤ４２に入力された光信号が電気信号に変換された画像データを、画像信号処理部４４で信号処理したのち、撮像制御部６４にて得られたデータを露光演算（所謂、ＣＣＤＡＥ演算）し、光学ユニット４０に備えられた絞り機構や画像信号処理部４４での電子シャッタによって露出を適正に制御できない場合（すなわち、露出オーバー状態、或いは露出アンダー状態である場合）に出力される警告である。
【００４０】
次のステップ１０６では、発生したエラー状態またはアラート状態をユーザに報知する。ここでは、例えば、メディアカード８２が未装着の状態でシャッタボタン２４が操作された場合であれば、ＬＥＤ３６を赤色点滅させたり、バッテリの残り充電量が少なくなった場合やメディアカード８２の残り記憶容量が少なくなった場合であれば、その旨を示すメッセージをＬＣＤ２８に表示する。
【００４１】
また、本実施の形態に係るデジタルカメラ１０では、発生回数の多いエラー状態／アラート状態の発生を回避するためのメッセージ情報（本発明の注意喚起情報に対応する。）を報知するために、ＣＰＵ６２では、電源起動時や動作モード変更時等の、デジタルカメラ１０に対してユーザによる新たな操作が行われた際に、図４に示す処理ルーチンを実行する。
【００４２】
まず、ステップ２００では、不揮発性メモリ８８に記憶されている、各エラー／アラート項目のカウント値を読み込んで、ステップ２０２へ進み、読み込まれたカウント値が所定値以上であるか否かを判断する。なお、ここでいう所定値とは、そのエラー状態／アラート状態の発生を回避するためのメッセージ情報を報知する場合のしきい値として、各エラー／アラート項目毎に予め定めた値である。
【００４３】
上記ステップ２０２で否定判断の場合には本処理ルーチンを終了し、肯定判断の場合には、カウント値が所定値以上であった各エラー／アラート項目に対応するメッセージ情報をＬＣＤ２８やＬＥＤ３６により報知する。ここでは、例えば、メディアカード８２の残り記憶容量ゼロ（Ｅ２）のカウント値が所定値未満であれば、図５（Ａ）に示すように、メッセージ情報は報知せず、上記Ｅ２のカウント値が所定値以上であれば、図５（Ｂ）に示すように、残り撮影可能枚数を示すメッセージ情報を報知することによって、ユーザに注意を喚起する。すなわち、ここでは、デジタルカメラ１０では通常動作とは異なる振る舞いが行われる。そして、この場合、ユーザは、報知されたメッセージ情報に基づいて適切な操作を行うことで、発生頻度の高い異常状態の発生を回避することができる。
【００４４】
なお、上記メッセージ情報としては、例えば、バッテリ残量ゼロ警告の発生回数が多い場合には、残量値がある程度の値になったときからバッテリ残量ゼロのメッセージ情報を報知したり、手ぶれ警告となりやすい場合には、フラッシュ１８の強制発光モードを最初に設定する旨のメッセージ情報を報知する等の様々なメッセージ情報を採用することができる。
【００４５】
以上説明したように、本実施の形態に係るデジタルカメラによれば、ユーザの操作によって発生したエラー状態／アラート状態の発生回数を記憶して、発生頻度の高いエラー状態／アラート状態については、そのエラー状態／アラート状態の発生を回避するためのメッセージ情報を事前に報知することで、ユーザの操作傾向に対応して操作に有益な情報をユーザに報知することができる。このことによって、ユーザにとって、デジタルカメラが出力するエラーやアラートに対する処理が分かりやすくなり、使い勝手のよいデジタルカメラを提供することができる。
【００４６】
なお、本実施の形態では、本発明をデジタルカメラに適用した例について説明したが、これに限らず、本発明は、テレビ、ビデオデッキ、ＣＤプレーヤー、ＤＶＤプレーヤー等の、ユーザによる操作によって作動する各種装置に対して適用可能である。
【００４７】
【発明の効果】
以上説明したように、本発明によれば、ユーザの操作によって作動する装置におけるユーザの操作に起因して発生する異常状態が検出された場合に、前記装置に対するユーザの新たな操作の際に、前記異常状態の発生を回避するようにユーザに対して注意喚起するようにしたので、ユーザの操作傾向に依存して発生しやすい異常状態の発生頻度を減少させ、装置の操作性を向上させることが可能な注意喚起装置、デジタルカメラ、及び注意喚起方法を提供することができる、という優れた効果を有する。
【図面の簡単な説明】
【図１】（Ａ）は、本発明の実施の形態に係るデジタルカメラの正面側の外観を示す斜視図であり、（Ｂ）は、デジタルカメラの裏面側の外観を示す斜視図である。
【図２】本発明の実施の形態に係るデジタルカメラの制御系の概略構成図である。
【図３】本発明の実施の形態に係るエラー／アラート報知処理の流れを示すフローチャートである。
【図４】本発明の実施の形態に係るメッセージ報知処理の流れを示すフローチャートである。
【図５】（Ａ）は、ＬＣＤにおけるメッセージ情報の非報知の例を説明するための図であり、（Ｂ）は、メッセージ情報の報知の例を説明するための図である。
【符号の説明】
１０　　デジタルカメラ
２８　　ＬＣＤ
３６　　ＬＥＤ
６２　　ＣＰＵ
６４　　撮像制御部
６８　　メディア制御部
７０　　ＬＣＤ制御部
７２　　メモリ制御部
７４　　ＬＥＤ制御部
８０　　操作ボタン系
８２　　メディアカード
８４　　フラッシュＲＯＭ
８６　　ＳＤＲＡＭ
８８　　不揮発性メモリ
【図１】
2004128731.tif 000003
【図２】
2004128731.tif 000004
【図３】
2004128731.tif 000005
【図４】
2004128731.tif 000006
【図５】
2004128731.tif 000007